(57)【要約】【課題】表示内容の更新に際する物理的な損傷のおそれを低減すると共に表示内容の更新の作業効率を高めることの出来る、新規な構造の表示装置を提供すること。【解決手段】第一のコイル部材３８、７４とそれらの少なくとも一方に取外し可能に組み付けられる第一の環状コア部材６２によって構成された制御用リング型インターフェースにおける該第一のコイル部材の一方３８をコレステリック液晶素子２０を備えた液晶表示装置１２に装着せしめると共に他方７４を表示制御装置１２に装着せしめる一方、第二のコイル部材３８，７４とそれらの少なくとも一方に取外し可能に組み付けられる第二の環状コア６２によって構成された給電用リング型インターフェースにおける該第二のコイル部材の一方３８を該液晶表示装置１２に装着せしめると共に他方７４を該表示制御装置１２に装着せしめた。【選択図】図１
2009134193.tif 000002
【特許請求の範囲】
【請求項１】
コレステリック液晶素子および該コレステリック液晶素子の駆動回路を含んで構成された液晶表示装置と、該液晶表示装置の該駆動回路との間で、表示制御信号を送受信するコントロール回路および電力を供給する給電回路を含んで構成された表示制御装置とを、相互に独立して別体形成すると共に、第一のコイル部材の一対とそれら第一のコイル部材を電磁結合の状態で連結する第一の環状コア部材を含んで構成されており、該第一の環状コア部材を該第一のコイル部材の少なくとも一方に対して取り外し可能に組み付けることにより電磁誘導作用を利用して信号送受信を行なう制御用リング型インターフェースを構成し、該制御用リング型インターフェースにおける該一対の第一のコイル部材の一方を該液晶表示装置に装着すると共に他方を該表示制御装置に装着せしめる一方、第二のコイル部材の一対とそれら第二のコイル部材を電磁結合の状態で連結する第二の環状コア部材を含んで構成されており、該第二の環状コア部材を該第二のコイル部材の少なくとも一方に対して取り外し可能に組み付けることにより電磁誘導作用を利用して電力送受信を行なう給電用リング型インターフェースを構成し、該給電用リング型インターフェースにおける該一対の第二のコイル部材の一方を該液晶表示装置に装着すると共に他方を該表示制御装置に装着せしめたことを特徴とするコレステリック液晶表示装置。
【請求項２】
前記制御用リング型インターフェースを構成する前記第一のコイル部材及び前記第一の環状コア部材と、前記給電用リング型インターフェースを構成する前記第二のコイル部材及び前記第二の環状コア部材として同じコイル部材及び環状コア部材が共通して用いられている請求項１に記載のコレステリック液晶表示装置。
【請求項３】
前記第一のコイル部材の一対及び前記第二のコイル部材の一対の少なくとも一方のコイル部材の間に、前記環状コア部材が複数設けられている請求項１又は２に記載のコレステリック液晶表示装置。
【請求項４】
前記第一の環状コア部材及び前記第二の環状コア部材の少なくとも一方が閉状態で閉磁路を形成すると共に開状態で閉磁路を切断するように開閉可能とされている請求項１乃至３の何れか一項に記載のコレステリック液晶表示装置。
【請求項５】
前記第一の環状コア部材及び前記第二の環状コア部材の少なくとも一方が円環形状とされている請求項１乃至４の何れか一項に記載のコレステリック液晶表示装置。
【請求項６】
前記第一の環状コア部材及び前記第二の環状コア部材の少なくとも一方が全周に亘って一定の断面形状とされている請求項１乃至５の何れか一項に記載のコレステリック液晶表示装置。
【請求項７】
前記第一の環状コア部材及び前記第二の環状コア部材の少なくとも一方が周方向で部分的に延びる複数のコア形成部材によって構成されている請求項１乃至６の何れか一項に記載のコレステリック液晶表示装置。
【請求項８】
前記第一のコイル部材と前記第一の環状コア部材および前記第二のコイル部材と前記第二の環状コア部材の少なくとも一方におけるコイル部材と環状コア部材との間に隙間が形成されている請求項１乃至７の何れか一項に記載のコレステリック液晶表示装置。
【請求項９】
前記第一の環状コア部材及び前記第二の環状コア部材の少なくとも一方の環状コア部材が挿通される挿通孔が形成された絶縁基板が設けられており、該絶縁基板における該挿通孔の周囲に形成された導体パターンによって、該環状コア部材が組み付けられる前記第一のコイル部材の一対及び前記第二のコイル部材の一対の少なくとも一方における少なくとも一つのコイル部材が構成されている請求項１乃至８の何れか一項に記載のコレステリック液晶表示装置。
【発明の詳細な説明】
【技術分野】
【０００１】
本発明は、液晶を用いた表示装置に係り、特に、コレステリック液晶を用いた表示装置に関するものである。
【背景技術】
【０００２】
従来から、各種の数字や文字、図形を表示する表示装置として液晶表示器が広く用いられている。液晶表示器は、陰極線管などに比して薄く小型に出来ることから、近年ではテレビのみならず、駅の広告や時刻表、或いはスーパーの値札や病室の患者名を示す名札などへの利用も検討されている。
【０００３】
ところで、液晶表示器としては、ネマティック液晶が用いられたものが多い。このような液晶表示器は、一般的には、少なくとも一枚が透明とされた電極板間に挟まれるネマティック液晶に電圧を印加して、液晶分子の配列状態を変化せしめることによってその光学的性質を変化せしめるようになっている。そして、ネマティック液晶においては、電圧が除去されると分子の配列状態が元に戻ってしまうことから、表示内容を保つためには、液晶に常に電圧を印加していなければならなかった。それ故、液晶表示器の外部から常に電力を供給するか、例えば特許文献１に記載のように、太陽電池などの電源を内蔵する必要があって、表示内容の更新がそれほど頻繁でもない上述の広告や名札などに適用するには不経済であった。
【０００４】
そこで、近年では、電力の供給を停止しても表示内容を保持することの出来るコレステリック液晶が実用化されつつある。コレステリック液晶は、ネマティック液晶とは異なる分子構造を有しており、画面の光を通すフォーカルコニック状態と、特定の光を反射（波長選択反射）するプレーナ状態の何れの状態も電圧を印加しなくても安定する双安定性を有している。これにより、電力を供給しなくても表示内容を保持することが可能となり、書き換えの頻度がそれ程多くは無い上述の広告や名札などに好適に採用することが出来る。
【０００５】
しかし、コレステリック液晶においても、表示内容を書き換える際には電力が必要である。そこで、表示内容を書き換える際には、例えば特許文献２や特許文献３に開示されているように、液晶を備える表示装置と表示装置の作動を制御する制御装置をコネクタ接続することによって、電力を供給すると共にシリアル通信などを用いて制御コマンドを送信して表示内容を書き換えるようになっている。
【０００６】
ところが、かかる書き換え時にコネクタを抜き差しすることによって、コネクタに無理な力が加わって破損するおそれがあった。特に製造工程においては、正常な書き換えが行なえるか否かを検査するためにコネクタを抜き差しする回数も多くなり、コネクタを破損するおそれがより高かった。また、表示装置および制御装置の何れかのコネクタ形状に変更が生じると、他方のコネクタも交換しなければならず、コネクタが多種になると対応することが困難であった。更にまた、コネクタの接続は基本的に一対一であることから、例えば多数の表示装置を検査したり、多数の表示装置の表示内容を書き換えるには、各表示装置に対してその都度制御装置を接続する必要があって、手間を要するものであった。
【０００７】
【特許文献１】特開平８−１６０３８６号公報
【特許文献２】特開平７−１２８６８０号公報
【特許文献３】特開平８−１６６５９０号公報
【発明の開示】
【発明が解決しようとする課題】
【０００８】
ここにおいて、本発明は上述の如き事情を背景として為されたものであって、その解決課題とするところは、ランニングコストの低減を図り、表示内容の更新に際する物理的な損傷のおそれを低減すると共に表示内容の更新の作業効率を高め、更に、表示装置乃至は制御装置の機種変更にも有利に対応することの出来る、新規な構造の表示装置を提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。
【００１０】
すなわち、本発明の第一の態様は、コレステリック液晶素子および該コレステリック液晶素子の駆動回路を含んで構成された液晶表示装置と、該液晶表示装置の該駆動回路との間で、表示制御信号を送受信するコントロール回路および電力を供給する給電回路を含んで構成された表示制御装置とを、相互に独立して別体形成すると共に、第一のコイル部材の一対とそれら第一のコイル部材を電磁結合の状態で連結する第一の環状コア部材を含んで構成されており、該第一の環状コア部材を該第一のコイル部材の少なくとも一方に対して取り外し可能に組み付けることにより電磁誘導作用を利用して信号送受信を行なう制御用リング型インターフェースを構成し、該制御用リング型インターフェースにおける該一対の第一のコイル部材の一方を該液晶表示装置に装着すると共に他方を該表示制御装置に装着せしめる一方、第二のコイル部材の一対とそれら第二のコイル部材を電磁結合の状態で連結する第二の環状コア部材を含んで構成されており、該第二の環状コア部材を該第二のコイル部材の少なくとも一方に対して取り外し可能に組み付けることにより電磁誘導作用を利用して電力送受信を行なう給電用リング型インターフェースを構成し、該給電用リング型インターフェースにおける該一対の第二のコイル部材の一方を該液晶表示装置に装着すると共に他方を該表示制御装置に装着せしめたコレステリック液晶表示装置にある。
【００１１】
本態様に従う構造とされたコレステリック液晶装置においては、表示素子としてコレステリック液晶を採用したことから、電圧を印加せずとも表示内容を保持することが出来る。これにより、表示内容を維持するために常に電力を供給することが不要とされて、ランニングコストの軽減を図ることが出来る。従って、表示内容の書き換え頻度がそれほど多くない例えば駅の広告や時刻表、スーパーの値札や病室の名札等に好適に適用することが出来る。
【００１２】
そして、信号の送受信を行う制御用リング型インターフェースと電力の送受信を行う給電用リング型インターフェースを備えたことによって、表示制御装置から液晶表示装置に信号と電力の両方を同時に送信することが出来る。従って、表示内容の書き換え時にのみ電力が必要とされるコレステリック液晶を備えた液晶表示装置に対して、電力が必要とされる信号の送受信時、換言すれば表示内容の書き換え時にのみ電力を供給することが出来て、効率の良い電力供給を行うことが可能となる。これにより、液晶表示装置の省電力化が図られるのみならず、液晶表示装置に蓄電池などの電源装置を内蔵することも不要とされることから、液晶表示装置の回路構成をより簡易にすることが出来て、製造をより容易にすることが出来ると共に、液晶表示装置のコンパクト化を図ることも出来る。即ち、本態様に従う構造とされたコレステリック液晶表示装置においては、表示内容の書き換え時以外は電力の供給を必要としないコレステリック液晶の特性を巧く利用して、液晶表示装置には情報を表示するために最低限必要な構成のみを備え、液晶表示装置と独立して形成された表示制御装置にコントロール回路および給電回路を備えてこれらコントロール回路および給電回路を液晶表示装置から切り離して構成することによって、液晶表示装置のコンパクト化と省電力化を図ることが可能とされたのである。
【００１３】
さらに、特に本態様におけるコレステリック液晶表示装置においては、液晶表示装置と表示制御装置が相互に独立して別体形成されており、第一および第二の環状コア部材を第一および第二のコイル部材に組み付けることによって電力および信号の伝送を行なうことが可能とされている。これにより、例えばコネクタ接続等のような強固な嵌合も不要とされることから、抜き差しに伴う物理的な損傷のおそれを回避することが出来る。また、コネクタのような嵌合が不要とされることによって、環状コア部材やコイル部材の形状変更にもより柔軟に対応することが出来て、液晶表示装置乃至は表示制御装置に機種変更が生じた場合にもより柔軟に対応することが出来る。加えて、環状コア部材をコイル部材に組み付けるのみで電気的な接続が行なえることから、接続の自由度も向上せしめられて、液晶表示装置と表示制御装置の接続をより容易に行うことも出来る。
【００１４】
さらに、本態様によれば、１つの環状コア部材に対して複数の液晶表示装置のコイル部材を組み付けることによって、１つの表示制御装置から複数の液晶表示装置に電力および信号を伝送することも可能となる。このようにすれば、複数の液晶表示装置の表示内容を同時に書き換えること等も可能となり、特に、液晶表示装置の製造工程において、複数の液晶表示装置を同時に検査することなども可能となる。
【００１５】
なお、本態様における環状コア部材は、必ずしも円環形状を示すものではなく、例えば楕円形や多角形などの各種異形の環形状を含む。また、環状コア部材は必ずしも全周に亘って連続せしめられている必要は無く、周方向で不連続とされて、エアギャップが形成される等しても良い。
【００１６】
本発明の第二の態様は、前記第一の態様に係るコレステリック液晶表示装置において、前記制御用リング型インターフェースを構成する前記第一のコイル部材及び前記第一の環状コア部材と、前記給電用リング型インターフェースを構成する前記第二のコイル部材及び前記第二の環状コア部材として同じコイル部材及び環状コア部材が共通して用いられていることを、特徴とする。
【００１７】
本態様に従う構造とされたコレステリック液晶表示装置においては、部品点数を減少せしめて、液晶表示装置および表示制御装置をよりコンパクトに構成することが出来る。それと共に、１つの環状コア部材をコイル部材に組み付けるのみで液晶表示装置と表示制御装置の接続が完了することから、接続をより容易に行なうことが出来る。
【００１８】
本発明の第三の態様は、前記第一又は第二の態様に係るコレステリック液晶表示装置において、前記第一のコイル部材の一対及び前記第二のコイル部材の一対の少なくとも一方のコイル部材の間に、前記環状コア部材が複数設けられていることを、特徴とする。
【００１９】
本態様に従う構造とされたコレステリック液晶表示装置においては、一対のコイル部材の相対変位の自由度をより大きく確保することが出来る。これにより、電力及び信号の伝送の途中で液晶表示装置と表示制御装置の相対位置が変化しても、伝送を継続して行なうことが出来る。
【００２０】
本発明の第四の態様は、前記第一乃至第三の何れか一つの態様に係るコレステリック液晶表示装置において、前記第一の環状コア部材及び前記第二の環状コア部材の少なくとも一方が閉状態で閉磁路を形成すると共に開状態で閉磁路を切断するように開閉可能とされていることを、特徴とする。
【００２１】
本態様に従う構造とされたコレステリック液晶表示装置においては、環状コア部材を開くことによってコイル部材から取り外し可能にすると共に、環状コア部材を閉じることによってコイル部材に組み付けることが出来る。従って、環状コア部材のコイル部材への組み付けおよび取り外しを容易に行なうことが可能となる。
【００２２】
本発明の第五の態様は、前記第一乃至第四の何れか一つの態様に係るコレステリック液晶表示装置において、前記第一の環状コア部材及び前記第二の環状コア部材の少なくとも一方が円環形状とされていることを、特徴とする。
【００２３】
本態様に従う構造とされたコレステリック液晶表示装置においては、環状コア部材に組み付けられたコイル部材を、環状コア部材の周方向に容易に相対変位可能とすることが出来る。更に、環状コア部材が角部を有さないことから、角部における磁束の損失を抑えることが出来て、コイル部材に鎖交せしめられる磁束を有利に確保することが出来る。
【００２４】
本発明の第六の態様は、前記第一乃至第五の何れか一つの態様に係るコレステリック液晶表示装置において、前記第一の環状コア部材及び前記第二の環状コア部材の少なくとも一方が全周に亘って一定の断面形状とされていることを、特徴とする。
【００２５】
本態様に従う構造とされたコレステリック液晶表示装置においては、磁束を環状コア部材の内部で通り易くすることが出来る。これにより、コイル部材に鎖交せしめられる磁束密度を高くして、伝送効率を高めることが出来る。それと共に、コア部材に対するコイル部材の引っ掛かり等も軽減することが出来て、コイル部材の環状コア部材に対する周方向変位を有利に実現することも出来る。なお、本態様から明らかなように、本発明における環状コア部材としては、必ずしも全周が一定の断面形状であるものに限定されることはなく、環状コア部材の断面積を周方向で変化させた態様も含む。かかる変化態様は、環状コア部材の周方向において外周面形状が漸次に変化することで断面積が連続的に変化する態様の他、周上の適当な外周面箇所に段差が形成されて断面積が非連続的に或いは急激に変化する態様であっても良い。
【００２６】
本発明の第七の態様は、前記第一乃至第六の何れか一つの態様に係るコレステリック液晶表示装置において、前記第一の環状コア部材及び前記第二の環状コア部材の少なくとも一方が周方向で部分的に延びる複数のコア形成部材によって構成されていることを、特徴とする。
【００２７】
本態様に従う構造とされたコレステリック液晶表示装置においては、コア形成部材を互いに切り離すことによって、コイル部材からの環状コア部材の取り外しを容易に行なうことが出来る。なお、本態様においてコア形成部材によって構成される環状コア部材は、コア形成部材間が隙間無く密着せしめられて形成されていても良いし、コア形成部材間に多少のギャップが形成されて、実質的に周方向に連続せしめられていても良い。
【００２８】
本発明の第八の態様は、前記第一乃至第七の何れか一つの態様に係るコレステリック液晶表示装置において、前記第一のコイル部材と前記第一の環状コア部材および前記第二のコイル部材と前記第二の環状コア部材の少なくとも一方におけるコイル部材と環状コア部材との間に隙間が形成されていることを、特徴とする。
【００２９】
本態様に従う構造とされたコレステリック液晶表示装置においては、コイル部材の環状コア部材に対してひねって傾斜せしめる方向（鎖交角度の変化を伴うような方向）への変位が許容される。これにより、コイル部材間での相対的な動きの自由度をより大きく確保することが出来て、液晶表示装置と表示制御装置の接続をより容易に行なうことが出来る。
【００３０】
ここにおいて、より好ましくは、前記環状コア部材が前記液晶表示装置及び前記表示制御装置の何れか一方に装着された前記コイル部材に固定的に取り付けられていると共に、該環状コア部材と該液晶表示装置及び該表示制御装置の他方に装着された前記コイル部材との間に隙間が形成される。このようにすれば、液晶表示装置と表示制御装置を非接触状態で信号及び電力の伝送を行なうことが出来て、接続に際する物理的な損傷をより軽減することが出来ると共に、接続の自由度もより向上せしめられる。
【００３１】
本発明の第九の態様は、前記第一乃至第八の何れか一つの態様に係るコレステリック液晶表示装置において、前記第一の環状コア部材及び前記第二の環状コア部材の少なくとも一方の環状コア部材が挿通される挿通孔が形成された絶縁基板が設けられており、該絶縁基板における該挿通孔の周囲に形成された導体パターンによって、該環状コア部材が組み付けられる前記第一のコイル部材の一対及び前記第二のコイル部材の一対の少なくとも一方における少なくとも一つのコイル部材が構成されていることを、特徴とする。
【００３２】
本態様に従う構造とされたコレステリック液晶表示装置においては、コイル部材の形状の安定化、特に、変位せしめられる際におけるコイル形状の安定化を図ることが出来る。なお、導体パターンは、絶縁基板の表面に形成されていても良いし、絶縁基板の表面のみならず内部に形成されていても良い。好適には、絶縁層に対する印刷成形等によってコイル部材が積層形成されることとなる。また、絶縁基板としては、硬質のものの他、可撓性のものなど、従来から公知の各種のものが採用可能である。
【発明を実施するための最良の形態】
【００３３】
以下、本発明を更に具体的に明らかにするために、本発明の実施形態について、図面を参照しつつ、詳細に説明する。
【００３４】
先ず、図１に、本発明の第一の実施形態としてのコレステリック液晶表示装置１０を示す。コレステリック液晶表示装置１０は、互いに独立して別体形成された表示装置としての液晶表示器１２と、液晶表示器１２に電力を供給すると共に制御信号の送受信を行なうことによって液晶表示器１２の作動を制御する表示制御装置としてのコントローラ１４とを含んで構成されている。
【００３５】
より詳細には、液晶表示器１２の内部には、図２および図３に示す液晶モジュール１６が収容されている。液晶モジュール１６は、例えばシリコンや紙基材フェノール樹脂等の従来公知の絶縁材料から形成された絶縁基板としての基板１８の一方の面に、コレステリック液晶素子としての液晶パネル２０が設けられる一方、液晶パネル２０の反対側の面には、液晶パネル２０の作動を制御するための駆動回路２２、液晶パネル２０に電力を供給するための整流安定化回路２４、コントローラ１４との間で制御信号の送受信を行なうための液晶側通信用回路２６、およびコントローラ１４との間で電力および制御信号の送受信を行なうための各種の電子部品が設けられている。なお、以下の説明において、特に断りの無い限り、表面とは液晶パネル２０が設けられた面を言い、裏面および背面とは、液晶パネル２０と反対側の面を言うものとする。
【００３６】
液晶パネル２０は、従来公知のコレステリック液晶を用いた液晶パネルであり、コレステリック液晶の特徴である双安定性を利用することによって、電圧が印加されずともその表示内容が維持出来るようにされている。かかる液晶パネル２０には、行電極を１行毎に順次走査する走査ドライバ回路２８と、表示しようとする画像データに基づいて、走査された行電極上の所望する列に対応する列電極に駆動電圧を印加するデータドライバ回路３０が接続されている。そして、これら走査ドライバ回路２８およびデータドライバ回路３０はフラットケーブル３２と電気的に接続されており、かかるフラットケーブル３２が基板１８を回り込んで、基板１８における液晶パネル２０の反対側の面に設けられたコネクタ３４と接続されることによって、駆動回路２２等と電気的に接続されている。
【００３７】
さらに、基板１８における側端部（本実施形態においては、図３中、左側端部）には、円形状の挿通孔３６が厚さ方向に貫設されている。そして、基板１８の裏面における挿通孔３６の外側には、液晶表示装置側のコイル部材としての一次側コイル３８が形成されている。一次側コイル３８は、基板１８の裏面にプリント成形された導電パターンによって形成されており、挿通孔３６の周囲を略一周するように形成されている。なお、一次側コイル３８を形成する導体パターンは、整流安定化回路２４や液晶側通信用回路２６等の基板１８上に設けられた各種の回路に電気的に接続されている。
【００３８】
そして、図１に示すように、液晶モジュール１６を収容する収容ケース４０には、液晶モジュール１６の収容状態で挿通孔３６と重なる位置に、挿通孔３６と同じ径寸法を有する円形の開口部４２が収容ケース４０の厚さ方向（図１中、紙面に対する垂直方向）に貫設されている。これにより、液晶モジュール１６の収容状態において、挿通孔３６と開口部４２が接続されて、挿通孔３６が液晶表示器１２の表面および裏面に開口せしめられるようになっている。
【００３９】
一方、コントローラ１４は、入力装置４４および送信機４６を含んで構成されている。入力装置４４は、数値や文字を入力可能なキーボードやボタン等によって構成された入力部４８と、入力内容や各種情報を表示可能な液晶表示板等によって構成された表示部５０を備えている。
【００４０】
かかる入力装置４４には、入力装置４４の駆動電力を供給すると共に、液晶表示器１２に駆動電力を供給するための給電回路としての電源回路５２（図８参照）や、入力部４８からの入力情報に基づいて液晶表示器１２の作動を制御するコントロール回路としての制御回路５４（図８参照）が内蔵されている。
【００４１】
さらに、入力装置４４には、接続ケーブル５６を介して送信機４６が接続されている。図４に、送信機４６を示す。送信機４６は、環状コア６２に二次側コイル７４が設けられた構造とされている。
【００４２】
図４（ａ）に示すように、環状コア６２は全体として、例えばフェライト等の強磁性材料から形成された一定の矩形状断面をもって全周に亘って延びる円筒形状とされており、軸方向（図４中、紙面に対する垂直方向）視において円環形状を有している。更に、本実施形態おける環状コア６２は、軸方向視において半周に亘って延びるコア形成部材としての第一部分コア７２ａおよび第二部分コア７２ｂが組み合わされることによって構成されている。
【００４３】
ここにおいて、第二部分コア７２ｂには、表示制御装置側のコイル部材としての二次側コイル７４が設けられている。二次側コイル７４は、例えば銅等によって形成されたリード線が第二部分コア７２ｂに一回未満から複数回までの適当な回数だけ巻回されることによって形成されている。なお、二次側コイル７４を形成するリード線は、接続ケーブル５６を介して、入力装置４４に設けられた電源回路５２や制御回路５４と電気的に接続されている。
【００４４】
そして、図４（ａ）に示すように、例えばＡＢＳなど従来公知の合成樹脂材や天然ゴムなど従来公知のゴム材料によって形成された連結用筒部材７５に対して軸方向両側から第一および第二部分コア７２ａ，７２ｂが取外し可能に嵌め入れた閉状態とされることによって、第一部分コア７２ａの周方向端面７６ａ，７６ｂと第二部分コア７２ｂの周方向端面７８ａ，７８ｂが互いに重ね合わされて、全周に亘って連続する円環形状の閉磁路が形成される一方、図４（ｂ）に示すように、連結用筒部材７５から第一および第二部分コア７２ａ，７２ｂを取り外した開状態とすることによって、これら周方向端面７６ａ，７６ｂと７８ａ，７８ｂが離隔せしめられて、閉磁路が切断されるようになっている。
【００４５】
このような構造とされたコレステリック液晶装置１０は、液晶表示器１２の表示を更新する場合には、コントローラ１４に適当な書換情報を入力した後に、図５および図６に示すように、送信機４６の第一および第二部分コア７２ａ，７２ｂの一方を開口部４２に挿通せしめ、第一および第二部分コア７２ａ，７２ｂの他方を連結用筒部材７５で組み付けることによって、環状コア６２を液晶表示器１２の開口部４２に挿通せしめる。
【００４６】
ここにおいて、挿通孔３６の開口寸法は、環状コア６２の矩形断面よりも大きくされており、環状コア６２は、挿通孔３６延いては一次側コイル３８に対して隙間８０をもって外挿せしめられる。これにより、環状コア６２は、図７にモデル的に示すように、Ｘ，Ｙ，Ｚの直交３軸座標において、Ｚ軸上に延びる環状コア６２を考えた場合に、環状コア６２の部材軸心となる上下方向に延びるＺ軸に外挿状態で配設されて、水平面となるＸＹ平面上に平置された一次側コイル３８を想定すると、環状コア６２は、一次側コイル３８に対して、上下方向（Ｚ軸方向）、前後方向（Ｙ軸方向）、左右方向（Ｘ軸方向）の３方向で移動が許容されていると共に、Ｚ軸回りのヨー、Ｙ軸回りのロール、Ｘ軸回りのピッチの３方向で傾動乃至は回動が許容された状態で組み付けられている。なお、各方向の相対変位の許容量は、環状コア６２や一次側コイル３８および挿通孔３６の形状や大きさ、隙間８０の大きさ等を適当に調節して設定可能である。
【００４７】
このようにして、環状コア６２が挿通孔３６延いては一次側コイル３８に挿通せしめられる。その結果、一次側コイル３８および二次側コイル７４内に環状コア６２が挿通せしめられた状態とされて、一次側コイル３８と二次側コイル７４が電磁結合せしめられる。これにより、液晶表示器１２とコントローラ１４との間で、制御信号および電力の伝送が行えるようになっている。特に本実施形態においては、環状コア６２と挿通孔３６の間に隙間８０が形成されることから、液晶表示器１２に対して送信機４６を非接触の状態で制御信号および電力の伝送が可能とされている。
【００４８】
次に、図８に基づいて、コントローラ１４から液晶表示器１２に供給される電力の伝送経路を説明する。先ず、コントローラ１４の電源回路５２には、インバータ８２が接続されている。インバータ８２としては、例えば、ＣＶＣＦ型やＶＶＶＦ型の従来公知のインバータが適宜に採用可能である。そして、電源回路５２の直流電圧が、インバータ８２によって高周波電圧に変換される。ここにおいて、インバータ８２によって変換された高周波電圧の周波数（出力周波数）は、供給する電力や使用環境等によって異なるものであるが、本実施形態においては、１００Ｈｚ〜５００ＭＨｚ程度の範囲内で適当に設定されている。
【００４９】
そして、インバータ８２によって変換された高周波電圧が、二次側コイル７４に給電されることによって、二次側コイル７４を貫き、出力周波数に応じて変化する磁束が発生する。ここにおいて、本実施形態においては、二次側コイル７４が環状コア６２に巻かれた状態で配されていることによって、二次側コイル７４を貫く磁束の略全てが環状コア６２の中を通るようにされている。そして、環状コア６２によって閉磁路が形成されており、二次側コイル７４に発生した磁束は、環状コア６２に対して外挿せしめられている一次側コイル３８と鎖交することとなる。その結果、一次側コイル３８には、相互誘導作用による誘導起電力が生じることとなり、二次側コイル７４に供給された高周波電圧が、一次側コイル３８から取り出される。
【００５０】
このようにして、電源回路５２から供給される電力が、二次側コイル７４から一次側コイル３８に非接触の状態で伝送される。そして、一次側コイル３８から取り出された高周波電圧は、整流安定化回路２４によって直流電圧に変換された後に、駆動回路２２や液晶側通信用回路２６に供給される。このように、本実施形態においては、一次側コイル３８および二次側コイル７４によって第二のコイル部材の一対が構成されていると共に、環状コア６２によって第二の環状コア部材が構成されており、これら一次側および二次側コイル３８、７４と環状コア６２を含んで、給電用リング型インターフェースが構成されている。
【００５１】
次に、図８に基づいて、コントローラ１４と液晶表示器１２の間で送受信される制御信号の伝送経路を説明する。先ず、コントローラ１４の制御回路５４には、制御側通信用回路８４が接続されている。そして、制御回路５４によって生成された制御信号は、制御側通信用回路８４によって高周波電圧に重畳された後に、二次側コイル７４に供給される。なお、制御信号が重畳される高周波電圧は、制御側通信用回路８４によって生成されるようになっており、その周波数は、制御信号のデータサイズや使用環境等によって異なるものであるが、本実施形態においては、１００Ｈｚ〜１０ＧＨｚ程度の範囲内で適当に設定されている。
【００５２】
そして、二次側コイル７４に高周波電圧が給電されることによって、二次側コイル７４を貫き、出力周波数に応じて変化する磁束が発生する。ここにおいて、本実施形態においては、二次側コイル７４が環状コア６２に巻かれた状態で配されていることによって、二次側コイル７４を貫く磁束の略全てが環状コア６２の中を通るようにされている。そして、環状コア６２によって閉磁路が形成されており、二次側コイル７４に発生した磁束は、環状コア６２に対して外挿せしめられている一次側コイル３８と鎖交することとなる。その結果、一次側コイル３８には、相互誘導作用による誘導起電力が生じることとなり、二次側コイル７４に供給された高周波電圧が、一次側コイル３８から取り出される。
【００５３】
このようにして、制御回路５４から送信された制御信号が、二次側コイル７４から一次側コイル３８に非接触の状態で伝送される。そして、一次側コイル３８から取り出された高周波電圧に重畳されている制御信号は、液晶側通信用回路２６によって取り出された後に、駆動回路２２に送信される。これにより、駆動回路２２は、受信した制御信号に基づいて走査ドライバ回路２８およびデータドライバ回路３０の作動を制御することによって、液晶パネル２０に目的とする画像を表示する。このように、本実施形態においては、一次側コイル３８および二次側コイル７４によって第一のコイル部材の一対が構成されていると共に、環状コア６２によって第一の環状コア部材が構成されており、これら一次側および二次側コイル３８、７４と環状コア６２を含んで、制御用リング型インターフェースが構成されている。そして、本実施形態においては、液晶パネル２０としてコレステリック液晶が用いられていることから、送信機４６を液晶表示器１２から取り外して、液晶表示器１２への電力の供給を停止しても、表示内容が維持されるのである。
【００５４】
なお、本実施形態においては、例えば液晶パネル２０の書き換えが完了したことを通知する制御信号を液晶表示装置１２からコントローラ１４に向けて送信する場合等のように、液晶表示器１２からコントローラ１４へ制御信号を送信することも可能とされている。液晶表示器１２からコントローラ１４への制御情報を送信する場合には、前記コントローラ１４から液晶表示器１２へ制御情報を送信した場合とは逆に、駆動回路２２で生成された制御信号が、液晶側通信用回路２６で高周波電圧に重畳されて一次側コイル３８から二次側コイル７４に環状コア６２を介して非接触の状態で伝送された後に、制御側通信用回路８４によって高周波電圧から取り出されて、制御回路５４に送信されることとなる。
【００５５】
このような構造とされたコレステリック液晶表示装置１０においては、液晶パネル２０としてコレステリック液晶を採用したことによって、表示内容を維持するために常に電力を供給することが不要とされる。これにより、液晶表示器１２の省電力化を図ることが出来る。
【００５６】
そして、コントローラ１４から液晶表示器１２への制御信号の送受信時に、コントローラ１４から液晶表示器１２に駆動用の電力が供給されるようになっている。これにより、液晶表示器１２内に電源装置を内蔵せしめることが不要とされて、液晶表示器１２をよりコンパクトに構成することが出来る。即ち、本実施形態におけるコレステリック液晶表示装置１０においては、書き換え時にのみ電力が必要とされるコレステリック液晶の特性を巧く利用して、書き換えに際する制御信号の送受信時に、書き換えに必要な駆動電力をコントローラ１４から液晶表示器１２に併せて供給することによって、液晶表示器１２内に電源装置を内蔵せしめることを不要として、液晶表示器１２のコンパクト化を図り得たのである。
【００５７】
さらに、本実施形態においては、液晶パネル２０の表示内容を書き換える場合には、送信機４６の第一および第二部分コア７２ａ，７２ｂを連結用筒部材７５で連結して環状コア６２を液晶表示器１２の開口部４２に挿通せしめることによって、液晶表示器１２に対する電力の供給と制御信号の送受信が可能とされている。これにより、液晶表示器１２とコントローラ１４を容易に接続することが可能とされていると共に、コネクタなどのように強固に嵌合せしめることなく液晶表示器１２とコントローラ１４を電気的に接続することが可能とされることから、繰り返しの接続によっても、接続部分を損傷してしまうおそれを軽減することが出来る。特に本実施形態においては、環状コア６２と挿通孔３６の間に隙間８０が形成されるようになっており、環状コア６２と液晶表示器１２を非接触の状態で電力および信号の伝送が可能とされていることから、接続に際する損傷のおそれが大幅に軽減されている。
【００５８】
特に本実施形態においては、環状コア６２と挿通孔３６の間に隙間８０が形成されていることによって一次側コイル３８と二次側コイル７４が相対的に変位可能とされている。これにより、液晶表示器１２とコントローラ１４の接続の自由度も向上せしめられて、接続をより容易に行なうことが出来る。更にまた、特に本実施形態においては、制御信号を伝送する制御用リング型インターフェースと電力を伝送する給電用リング型インターフェースの何れもが、一次及び二次側コイル３８，７４と環状コア６２によって構成されている。これにより、液晶表示装置１２およびコントローラ１４のコンパクト化が図られると共に、１つの環状コア６２を液晶表示器１２に組み付けるのみで制御信号と電力の伝送が可能とされることによって、接続の手間も軽減されている。
【００５９】
このような構造とされたコレステリック液晶表示装置１０は、例えばスーパーの値札、病院において病室の患者名を示す名札、駅構内の時刻表やポスターなど、表示内容を更新する頻度がそれ程多くない様々な用途に好適に用いることが出来る。以下に、本発明に従う構造とされたコレステリック液晶表示装置１０の具体的な使用例を幾つか示すが、本発明に従う構造とされたコレステリック液晶表示装置の用途が以下の使用例に限定されることを示すものではないことが理解されるべきである。なお、以下の説明において、前記実施形態と実質的に同様の構造とされた部材および部位については、図中に前記実施形態と同一の符号を付することにより、その詳細な説明を省略する。
【００６０】
例えば、図９に示すように、本発明に従う構造とされた液晶表示器１２の複数を単一の環状コア６２に接続せしめることが出来る。このようにすれば、１つのコントローラ１４からの電力及び制御情報を複数の液晶表示器１２に同時に伝送することが出来て、複数の液晶表示器１２を同時に書き換えることが出来る。これにより、特に多数の液晶表示器１２の作動を検査する必要がある製造工程において、複数の液晶表示器１２をまとめて検査することも可能となる。また、本発明に従う構造とされた液晶表示装置１０によれば、液晶表示器１２の開口部４２に環状コア６２を挿通せしめることで液晶表示器１２とコントローラ１４を電気的に接続可能とされていることから、コネクタ等のような嵌合も不要とされており、繰り返しの抜き差しに起因して接続部が損傷するようなおそれも軽減されている。従って、液晶表示器１２の作動を検査するためにコントローラ１４と接続する機会が多くなる製造工程において、接続部を損傷するおそれを軽減することが出来る。
【００６１】
また、図１０に示すように、本発明に従う構造とされた液晶表示器１２を、スーパーの陳列棚に設けられる値札として用いることが出来る。本用途においては、陳列棚９０の幅方向（図１０中、左右方向）に延びる柵９２に液晶表示器１２が取り付けられており、液晶表示器１２の液晶パネル２０に、商品の値段が表示されている。
【００６２】
ここにおいて、本態様における液晶表示器１２の一次側コイル９４は、図１１および図１２にも示すように、基板１８の背面に突出すると共に、上下方向（図１２中、上下方向）に延び出して設けられている。そして、収容ケース４０に設けられた開口部９６が上下方向に開口せしめられていると共に、一次側コイル９４に連通せしめられている。
【００６３】
一方、陳列棚９０の柵９２は、図１３に示すように、例えば鉄等の強磁性材によって形成された枠状のフレーム９８を含んで構成されており、かかるフレーム９８に、銅等のリード線が一回未満から複数回までの適当な回数だけ巻回せしめられて形成された二次側コイル１００が接着等で固定されている。そして、二次側コイル１００が取り付けられたフレーム９８の全体がポリ塩化ビニル等で被覆されることによって柵９２が形成されている。
【００６４】
このような構造とされた柵９２に環状コア１０１が係止されており、かかる環状コア１０１が液晶表示器１２の開口部９６に挿通されることによって、液晶表示器１２が柵９２に係止状態で取り付けられていると共に、環状コア９３が一次側コイル９４および二次側コイル１００に挿通されている。
【００６５】
さらに、二次側コイル１００を形成するリード線の両端部は、コントローラ１０２に接続されている。本態様におけるコントローラ１０２は、前述の実施形態における制御側通信用回路８４、電源回路５２、インバータ８２（図８参照）等を備えた構造とされており、二次側コイル１００を形成するリード線の両端部が制御側通信用回路８４およびインバータ８２に電気的に接続されていると共に、それら制御側通信用回路８４およびインバータ８２がコンピュータ１０４に電気的に接続されている。ここにおいて、前述の実施形態における制御回路５４はコンピュータ１０４のＣＰＵによって構成されており、本態様においては、コントローラ１０２およびコンピュータ１０４を含んで、表示制御装置が構成されている。
【００６６】
また、コンピュータ１０４には、柵９２に接続された複数の液晶表示器１２の少なくとも一つを選択すると共に、選択した液晶表示器１２の表示内容を指定可能なプログラムが記憶されている。
【００６７】
このような構造とされた液晶表示器１２の表示内容を書き換える場合には、先ず、コンピュータ１０４の画面上で対象となる液晶表示器１２を選択すると共に、選択した液晶表示器１２の表示内容を入力する。そして、入力が完了すると、コンピュータ１０４からの命令に基づいてインバータ８２が作動せしめられて、柵９２に接続された全ての液晶表示器１２に電力が供給される。これにより、各液晶表示器１２の液晶側通信用回路２６および駆動回路２２が作動可能な状態とされる。
【００６８】
次に、コンピュータ１０４からコントローラ１０２の制御側通信用回路８４を介して、液晶パネル２０の書換情報を含んだ表示制御信号が柵９２に設けられた全ての液晶表示器１２に伝送される。そこにおいて、各液晶表示器１２には重複しないユニークな識別番号が割り振られており、表示制御信号には、書き換えの対象となる液晶表示器１２の識別番号が含まれている。そして、各液晶表示器１２の駆動回路２２は、受信した表示制御信号に含まれた識別番号が自己を示す識別番号である場合にのみ、表意制御信号に含まれた書換情報に基づいて、液晶パネル２０の書き換えを行い、受信した表示制御信号に含まれた識別番号が自己を示す識別番号でない場合には、受信した表示制御信号を破棄するようにされている。これにより、複数の液晶表示器１２のうち、特定の液晶表示器１２の表示内容を更新することが可能とされている。なお、表示制御信号に複数の識別番号を含ませることも可能であり、このようにすれば、複数の液晶表示器１２を同時に書き換えることが可能とされる。
【００６９】
本態様に従う構造とされた液晶表示器１２によれば、通常の表示時には電力を消費することが無いことから、省電力化を図ることが出来る。それと共に、表示の更新時には柵９２を通じて電力が供給されることによって、表示制御信号を受信するために電池などの待機電源を内蔵することも不要とされることから、特に食材の近辺などにも衛生的に配設することが出来る。
【００７０】
なお、上記態様においては、柵９２に二次側コイル１００を形成して、二次側コイル１００に電気的に接続されたコンピュータ１０４を操作することによって液晶表示器１２の表示内容を書き換えるようにされていたが、例えば、柵９２に二次側コイル１００を形成することなく、液晶表示器１２に前述の実施形態と同様の一次側コイル３８および開口部４２を形成して、スーパーの店員等がコントローラ１４を持ち歩いて、変更後の商品名や値段等の表示情報をコントローラ１４に入力した後に、コントローラ１４の送信機４６を液晶表示器１２に接続することによって、液晶表示器１２の表示内容を変更することも勿論可能である。
【００７１】
また、図１４に示すように、液晶表示器１２を病室の患者名を示す名札として用いることも出来る。本態様においては、病院の壁１０６に、液晶表示器１２が取り付けられており、液晶表示器１２の液晶パネル２０には、病室内の入院患者の氏名が表示されている。図示は省略するが、本態様においては、壁１０６内に前記態様と同様の構造とされた二次側コイル１００を有するフレーム９８が配設されており、かかるフレーム９８に液晶表示器１２が環状コア部材を介して取り付けられている。そして、前記態様と同様に、二次側コイル１００に電気的に接続されたコンピュータ１０４およびコントローラ１０２によって、各液晶表示器１２の表示内容を変更することが可能とされている。ここにおいて、フレーム９８は、病院の各フロア毎に設けても良いし、或いは、病院内の全フロアに亘るフレーム９８を形成して、かかるフレーム９８に電気的に接続されたコンピュータ１０４によって、全病室の液晶表示器１２を一括して制御するなどしても良い。
【００７２】
さらに、図１５および図１６に示すように、液晶表示器１２をポスターとして使用することも出来る。そこにおいて、液晶表示器１２を大型のポスターなどに用いる場合には、図１５および図１６にも示すように、一次側コイル３８および開口部４２を液晶表示器１２の前方において上下方向に延び出させて形成することが好ましい。このようにすれば、液晶表示器１２の表側から環状コア６２を一次側コイル３８に組み付けることが出来て、送信機４６の接続を容易に行うことが出来ると共に、液晶表示器１２の背面の全体を壁面に重ね合わせて取り付けることが出来る。
【００７３】
なお、液晶パネル２０の表示内容が画像などのボタン入力が困難な図形である場合には、例えば別途コンピュータ等を用いて表示しようとする画像を作成し、かかる画像データをケーブル接続等を用いてコンピュータからコントローラ１４内に予め記憶せしめる。そして、コントローラ１４に記憶された画像データを液晶表示器１２に伝送することによって、写真や絵柄などの画像も液晶表示器１２に容易に表示させることが出来る。
【００７４】
以上、本発明の一実施形態と幾つかの用途について詳述してきたが、これらはあくまでも例示であって、本発明は、かかる実施形態および用途における具体的な記載によって、何等、限定的に解釈されるものではない。
【００７５】
例えば、図１７に示すように、一次側コイル３８と二次側コイル７４の間を、互いに独立形成された複数（本態様においては、２つ）の環状コア１１０，１１２で連結するなどしても良い。これら環状コア１１０，１１２は、連結コイル１１４が両方に巻かれることによって互いに連結されており、連結コイル１１４は、その内部に誘導される電流が何れの環状コア１１０、１１２に対しても鎖交し得るようになっている。更に、特に本態様では、連結コイル部材１１４は、両方の環状コア１１０，１１２の間に隙間を有するようになっており、かかる隙間によって、連結コイル部材１１４は、何れの環状コア１１０，１１２に対しても６自由度の相対変位が許容されている。これにより、環状コア１１０，１１２は、互いに相対変位可能な状態で連結されている。
【００７６】
本態様においては、例えば二次側コイル７４から連結コイル部材１１４へと電気信号が相互誘導作用により伝送された後、連結コイル部材１１４から一次側コイル３８へと電気信号が相互誘導作用によって伝送されるようになっている。即ち、連結コイル部材１１４は、二つの環状コア１１０，１１２に対して、電磁結合の状態で組み付けられている。このようにすれば、一次側コイル３８と二次側コイル７４の間に複数の環状コア１１０，１１２が配設されて、それら複数の環状コア１１０，１１２が連結コイル部材１１４によって大きな自由度をもって連結されていることから、一次側コイル３８と二次側コイル７４間の相対的な動きの自由度をより大きく確保することが出来て、液晶表示器１２とコントローラ１４との接続をより容易に行うことが出来る。なお、一次側コイル３８と二次側コイル７４の間に配設される環状コアの個数は、必ずしも２つに限定されることはなく、２以上の個数をもって構成することも可能である。
【００７７】
さらに、本態様における環状コア１１０は、矩形枠体形状とされている。このように、コア部材は必ずしも円環形状とされる必要はない。一方、環状コア１１２は、全体として略矩形枠体形状とされると共に、その周上の一部に、磁路の実質的な連続性を維持し得る程度、換言すれば磁束の漏れ出しが電力や電気信号の伝送上で問題とならない程度の空隙（ギャップ）１１６が形成されている。このようにすれば、例えば二次側コイル７４の環状コア１１２への着脱を、空隙１１６を通じて行うことも出来る。このことから明らかなように、環状コア部材は、必ずしも周方向に連続している必要は無い。
【００７８】
更にまた、前述の態様においては、連結コイル部材１１４は、一対の環状コア１１０、１１２に跨って巻回せしめられていたが、例えば図１８および図１９に示す連結コイル部材１１８のように、連結コイル部材１１８の両端部を環状コア６２，６２のそれぞれに巻回せしめることによって、これら一対の環状コア６２，６２を連結コイル部材１１８で連結するなどしても良い。
【００７９】
また、前述の実施形態においては、制御用リング型インターフェースを構成する第一のコイル部材の一対および第一の環状コイルと、給電用リング型インターフェースを構成する第二のコイル部材の一対および第二の環状コイルの両方が、共通の一次側コイル３８および二次側コイル７４とそれらを連結する環状コア６２によって構成されていたが、例えば図２０に示すように、液晶表示器１２の整流安定化回路２４に一次側コイル１２０を設ける一方、コントローラ１４に前述の実施形態における給電用の送信機４６と同様の送信機をもう１つ設ける等して、インバータ８２に二次側コイル１２２および環状コア１２４を接続して給電用リング型インターフェースを構成することによって、制御用リング型インターフェースと給電用リング型インターフェースとを相互に独立して構成することも勿論可能である。
【００８０】
更にまた、１つの環状コア部材を第一のコイル部材の一対と第二のコイル部材の一対で共通して用いることなども可能である。例えば、図示は省略するが、上記態様における二次側コイル１２２を前述の実施形態における環状コア６２の第一部分コア７２ａに設けることによって、二次側コイル７４，１２２の両方を環状コア６２に設ける一方、上記態様における給電用の一次側コイル１２０を、制御用の一次側コイル３８と同軸上に配設して、環状コア６２をこれら両一次側コイル３８，１２０に同時に挿通することによって、これら制御用の一次側および二次側コイル３８，７４および給電用の一次側および二次側コイル１２０，１２２の間で、共通の環状コア６２を用いることが出来る。
【００８１】
また、前述の柵９２においては、枠状のフレーム９８に二次側コイル１００を取り付けた構造とされていたが（図１３参照）、例えば図２１に示すように、前述のフレーム９８と同様の形状とされた環状コア１２６の略全体に二次側コイル１２８を巻回せしめることによって、柵９２に環状コアとそれに巻回せしめられた二次側コイルを構成して、かかる柵９２に液晶表示器１２の一次側コイル９４を直接に巻回せしめるなどしても良い。このようにすれば、液晶表示器１２に設けられた一次側コイル９４と柵９２に設けられた二次側コイル１２８が、柵９２のフレームを構成する環状コア１２６を介して電磁結合せしめられることとなる。
【図面の簡単な説明】
【００８２】
【図１】本発明の一実施形態としてのコレステリック液晶表示装置を示す説明図。
【図２】液晶モジュールの正面を概略的に示す説明図。
【図３】同液晶モジュールの背面を概略的に示す説明図。
【図４】表示制御装置に設けられる送信機を概略的に示す説明図。
【図５】液晶表示器と送信機の接続状態を概略的に示す説明図。
【図６】コイル部材と環状コア部材との組付状態を説明するための断面説明図。
【図７】コイル部材に対する環状コア部材の相対変位自由度を説明するための説明図。
【図８】コレステリック液晶表示装置を概略的に示すブロック図。
【図９】液晶表示装置の使用例を説明するための説明図。
【図１０】液晶表示装置の異なる使用例を説明するための説明図。
【図１１】図１０に示した液晶表示装置の上面を概略的に示す説明図。
【図１２】図１１におけるＸＩＩ−ＸＩＩ断面に相当する説明図。
【図１３】図１０に示した柵を構成するフレームを説明するための説明図。
【図１４】液晶表示装置の更に異なる使用例を説明するための説明図。
【図１５】液晶表示装置の更に異なる使用例を説明するための説明図。
【図１６】図１５に示した液晶表示装置の上面に相当する説明図。
【図１７】環状コア部材の異なる態様を説明するための説明図。
【図１８】連結コイル部材の異なる態様を説明するための説明図。
【図１９】図１８の上面説明図。
【図２０】液晶表示装置の異なる態様を説明するためのブロック図。
【図２１】図１３に示した柵の異なる態様を説明するための説明図。
【符号の説明】
【００８３】
１０：コレステリック液晶表示装置、１２：液晶表示器、１４：コントローラ、２０：液晶パネル、２２：駆動回路、３８：一次側コイル、４２：開口部、５２：電源回路、５４：制御回路、６２：環状コア、７４：二次側コイル
【図１】
2009134193.tif 000003
【図２】
2009134193.tif 000004
【図３】
2009134193.tif 000005
【図４】
2009134193.tif 000006
【図５】
2009134193.tif 000007
【図６】
2009134193.tif 000008
【図７】
2009134193.tif 000009
【図８】
2009134193.tif 000010
【図９】
2009134193.tif 000011
【図１０】
2009134193.tif 000012
【図１１】
2009134193.tif 000013
【図１２】
2009134193.tif 000014
【図１３】
2009134193.tif 000015
【図１４】
2009134193.tif 000016
【図１５】
2009134193.tif 000017
【図１６】
2009134193.tif 000018
【図１７】
2009134193.tif 000019
【図１８】
2009134193.tif 000020
【図１９】
2009134193.tif 000021
【図２０】
2009134193.tif 000022
【図２１】
2009134193.tif 000023